(57)【要約】【課題】本発明は、任意径の支柱を装着している血液浄化用装置、血液透析装置などの医療機器に、その装着している支柱（例えば、スタンドポール）の径に関係なく、シリンジポンプ、輸液ポンプ、ウォーマ、プリンタなどの機器付設品を簡便にそして強固に取付、さらに容易に取付位置を変更できる取付方法の提供を目的とする。【解決手段】任意径の支柱を装着している医療機器に、機器付設品を取り付ける方法において、着脱自在な機器付設品を有するＬ型クランプを用いて、医療機器の任意径の支柱に、機器付設品を取り付けることを特徴とする医療機器へのクランプを用いる取付方法の提供を目的とする。【選択図】          図１
2004216045.tif 000002
【特許請求の範囲】
【請求項１】
任意径の支柱を装着している医療機器に、機器付設品を取り付ける方法において、
着脱自在な機器付設品を有するＬ型クランプを用いて、医療機器の任意径の支柱に、機器付設品を取り付けることを特徴とする医療機器へのクランプを用いる取付方法。
【発明の詳細な説明】
【０００１】
【発明の属する技術分野】
本発明は、任意径の支柱を装着している血液浄化用装置、血液透析装置などの医療機器に、着脱自在なシリンジポンプなどの医療機器付設品をＬ型クランプを用いて取付する方法に関する。
【０００２】
【従来の技術】
任意径の支柱（９）を挿着してネジ締結し得るクランプ基体（１）と、クランプ基体（１）に穿孔した軸受孔（２）内の出口付近にスライドブッシュ（３）を摺動可能に挿着すると共に、前記軸受孔（２）内の奥部に固定ブッシュ（６）が嵌着され、突出端部にハンド基部（２３）を固着した支持軸（４）を前記スライドブッシュ（３）に摺動可能に貫通すると共に圧縮スプリング（１３）を介して前記固定ブッシュ（６）に貫通して該支持軸（４）端部を前記固定ブッシュ（６）に係止し、前記基部（２３）から伸長する右側板片（２２）と、前記ハンド基部（２３）に軸支され前記スライドブッシュ３  の突出端部に圧接する屈曲部（２１ｃ）を形成して前記右側板片（２２）に対向するよう伸長する左側板片（２１）とからなり、前記右側板片（２２）の前記基部（２３）側に前記左側板片（２１）に対向して突出する調整ネジ（２６）を螺設して前記調整ネジ（２６）の突出端部により前記左側板片（２１）を係止することによって前記右側板片（２２）と前記左側板片（２１）との開口隙間幅を調節したことを特徴とする透析器支持装置が開示されている（例えば、特許文献１参照）。
【０００３】
【特許文献１】
実公平６−０２８１１８号公報
【０００４】
【発明が解決しようとする課題】
血液浄化用装置などの医療機器に、シリンジポンプ、輸液ポンプ、ウォーマ、プリンタなどを取り付ける場合、ネジ止め式のクランプやムッフを用いて行っていた。しかし、ネジ止め式のクランプやムッフを用いると、医療機器に装着している支柱の径により固定しづらい場合や、強固に固定できない場合が考えられる。
本発明は、任意径の支柱を装着している血液浄化用装置、血液透析装置などの医療機器に、その装着している支柱（例えば、スタンドポール）の径に関係なく、シリンジポンプ、輸液ポンプ、ウォーマ、プリンタなどの機器付設品を簡便にそして強固に取付、さらに容易に取付位置を変更できる取付方法の提供を目的とする。
【０００５】
【課題を解決するための手段】
本発明は、任意径の支柱を装着している医療機器に、機器付設品を取り付ける方法において、
着脱自在な機器付設品を有するＬ型クランプを用いて、医療機器の任意径の支柱に、機器付設品を取り付けることを特徴とする医療機器へのＬ型クランプを用いる取付方法を提供することである。
【０００６】
【発明の実施の形態】
本発明は、任意径の支柱を装着している医療機器に、機器付設品を取り付ける方法において、
着脱自在な機器付設品を有するＬ型クランプを用いて、医療機器の任意径の支柱に、機器付設品を取り付けることを特徴とする医療機器へのＬ型クランプを用いる取付方法を提供することである。
【０００７】
医療機器は、血液浄化用装置、血液透析装置、持続的血液ろ過装置、持続的血液ろ過透析装置、血液灌流装置、血漿灌流装置、血液交換装置、血漿交換装置、免疫吸着装置、採血装置、採漿装置、人工心肺装置などを挙げることが出来る。
医療機器は、ポンプや弁、或いはチューブなどを有する箱型の医療機器を用いることが出来る。
任意径の支柱は、医療機器の機器付設品を医療機器に取り付ける目的で装着し、医療機器本体の上部又は下部、或いは側部に設けることができる。
【０００８】
医療機器の機器付設品は、医療機器に付設して用いる機器であればどの様なものでもよく、例えばシリンジポンプ、輸液ポンプ、ウォーマ、プリンタなどの医療機器に付設可能な機器を挙げることが出来る。
【０００９】
Ｌ型クランプは、機器付設品を有するＬ型クランプ、機器付設品の脱着可能なＬ型クランプ、機器付設品を取付可能なＬ型クランプである。
【００１０】
以下に、本発明の実施の形態を図面につき詳しく説明する。本発明は、これらの実施の形態のみに限定されるものではない。
【００１１】
図１は、医療機器本体２に装着している支柱３に、Ｌ型クランプ１０を取り付けている医療機器１をモデル的に示すものである。
医療機器１は、医療機器本体２、任意径の支柱３及び可動部４を有し、支柱３は医療機器本体２の上部に設けられている。医療機器１は、可動部が無くても良く、床に直に置いても、床に台や支柱を用いて設置してもよい。
任意径の支柱は、医療機器本体の上部又は下部、或いは側部に設けることができる。Ｌ型クランプ１０は、機器付設品１８を取り付けている。
可動部４は、医療機器の移動に利用する。
【００１２】
図２は、着脱自在な機器付設品を有するＬ型クランプ１０をモデル的に示すものである。Ｌ型クランプ１０は、固定クランプ１１、ガイド１２、アーム１３、ハンドル１４、手動スクリュー１５及び可動クランプ１６を有し、さらに機器付設品を取り付ける架台１７を有する。固定クランプ１１には、ガイド１２が設けられ、ガイド１２は固定クランプ１１の軸方向に対し垂直方向に設けることが好ましい。固定クランプ１１は、支柱を強固に固定する目的で、端部近傍がＶ字の窪みを有することが好ましい。ガイド１２は、軸方向に対し前進後退可能なアーム１３が設けられている。アーム１３は、固定クランプ１１の軸方向に対し、平行に設けることが好ましい。アーム１３は、両端又は両端近傍にガイド１２及び手動スクリュー１５が設けられている。手動スクリュー１５の両端には、可動クランプ１６及びハンドル１４が設けられている。可動クランプ１６は、固定クランプ１１、好ましくは固定クランプ１１のＶ字の窪みに対向して設けられ、ハンドル１４を回転させ手動スクリュー１５により前進後退させることができる。アーム１３は、ガイド１２の軸方向に対し垂直方向に設けられ、ガイド１２に対しスランドさせ、前進後退することができる。
【００１３】
Ｌ型クランプ１０を支柱３に取り付ける場合、通常以下の▲１▼及び▲２▼の操作を行う。
▲１▼アーム１３を、ガイド１２に沿って固定クランプ１１の方向にスライドさせ、固定クランプ１１のＶ字の窪みと可動クランプ１６の間に、支柱３を保持する。
▲２▼ハンドル１４を回転させ、手動スクリュー１５を前進し、支柱３を固定クランプ１１のＶ字の窪みと可動クランプ１６の間に締め付け固定する。
【００１４】
支柱３に取付ているＬ型クランプ１０の取付位置を移動させる場合、通常以下の▲１▼〜▲２▼の操作を行う。
▲１▼ハンドル１４を回転させ、手動スクリュー１５を僅かに後退させ、Ｌ型クランプを支柱３に沿って上下方向の取付位置に移動させる。
▲２▼ハンドル１４を回転させ、手動スクリュー１５を前進し、支柱３を固定クランプ１１のＶ字の窪みと可動クランプ１６の間に締め付け固定する。
【００１５】
【発明の効果】
本発明は、血液浄化用装置、血液透析装置などの医療機器に、装着している支柱（例えば、スタンドポール）の径に関係なく、
シリンジポンプ、輸液ポンプ、ウォーマ、プリンタなどを簡便に、強固に取付、さらに容易に取付位置を変更できる取付方法の提供を目的とする。
【図面の簡単な説明】
【図１】本発明のＬ型クランプを支柱に取付けている医療機器をモデル的に示すものである。
【図２】本発明の一実施例のＬ型クランプをモデル的に示すものである。
【符号の説明】
１：医療機器、２：医療機器本体、３：支柱、４：可動部、１０：Ｌ型クランプ、１１：固定クランプ、１２：ガイド、１３：アーム、１４：ハンドル、１５：手動スクリュー、１６：可動クランプ、１７：架台、１８：機器付設品。
【図１】
2004216045.tif 000003
【図２】
2004216045.tif 000004